(57)【特許請求の範囲】
【請求項１】
圧縮機に吸い込まれる冷媒を液冷媒とガス冷媒に分離するためのアキュムレータにおいて、
液冷媒を内部に貯留するタンクと、
該タンク内にて開口するガス冷媒吸込口を有し、該ガス冷媒吸込口から流入したガス冷媒を前記圧縮機の冷媒吸込側に流出させる出口配管と、
前記タンク内において上下方向に配置され、冷媒中の水分を除去する乾燥剤とを備え、
前記出口配管は、設計上の最高液面位置Ｌｍａｘよりも高い位置にて開口するガス冷媒吸込口を有し、
前記乾燥剤の上部は、前記出口配管の前記ガス冷媒吸込口より上方に位置しており、前記乾燥剤の下部は、前記タンク内の液冷媒の設計上の最低液面位置Ｌｍｉｎよりも下方に位置していることを特徴とするアキュムレータ。
【請求項２】
前記乾燥剤は、前記出口配管に保持されていることを特徴とする請求項１に記載のアキュムレータ。
【請求項３】
前記タンク内にて開口し、冷媒を当該タンク内に流入させる入口配管を備え、
前記乾燥剤は、前記入口配管から前記タンク内に流入した液冷媒の落下経路を避けた位置に配置されていることを特徴とする請求項１又は請求項２に記載のアキュムレータ。
【請求項４】
前記タンク内において前記入口配管の開口の下側に配置され、少なくとも一部が前記タンクの側壁から離間して設けられた邪魔板を備え、
前記入口配管から前記タンク内に流入した液冷媒は、前記邪魔板と前記タンクの側壁との間から落下すると共に、
前記乾燥剤は、前記邪魔板と前記タンクの底壁との間に挟まれたかたちで配置されていることを特徴とする請求項３に記載のアキュムレータ。
【請求項５】
冷媒を圧縮する前記圧縮機と、
車室内に供給する空気が流通する空気流通路と、
該空気流通路から前記車室内に供給する空気と冷媒を熱交換させる室内熱交換器と、
前記車室外に設けられた室外熱交換器と、
前記圧縮機の冷媒吸込側に接続された請求項１乃至請求項４のうちの何れかに記載のアキュムレータを備え、前記車室内を空調することを特徴とする車両用空気調和装置。
【発明の詳細な説明】
【技術分野】
【０００１】
本発明は、冷媒を液冷媒とガス冷媒とに分離するために用いられるアキュムレータ、及び、それを備えて車両の車室内を空調する車両用空気調和装置に関するものである。
【背景技術】
【０００２】
従来より例えば車両の車室内を空調する車両用空気調和装置等の冷媒回路には、圧縮機の冷媒吸込側にアキュムレータが接続されている。このアキュムレータは、流入した気液混合状態の冷媒を、液冷媒（液相冷媒）とガス冷媒（気相冷媒）とに分離し、液冷媒をタンク内に貯留すると共に、ガス冷媒を圧縮機に吸い込ませるものであるが、冷媒中の水分を除去するための乾燥剤が設けられたものもある（例えば、特許文献１参照）。
【０００３】
この乾燥剤は、例えばゼオライト等の粒子を袋等の中に封入して構成されており、冷媒中の水分除去の役割を奏するものであるが、更に、粒子間で冷媒の気化を促す機能も奏する。そして、この冷媒の気化は、液冷媒とガス冷媒との境界面（液冷媒の液面）を起点として徐々に進行するものであったが、乾燥剤の全部が液冷媒中に浸かってしまうと、タンク内の圧力が低下したとき（圧縮機の起動時等）に、乾燥剤を起点として急激な冷媒の気化（突沸）が発生し、多くの液冷媒がアキュムレータから流出して圧縮機に吸い込まれ、液圧縮が発生して耐久性が低下する。また、突沸によりアキュムレータから異音（騒音）が発生する問題もあった。
【０００４】
そこで、特許文献１では乾燥剤の一部を液冷媒の最高液面位置よりも上方に配置することで、乾燥剤の全部が液冷媒に浸かる問題を回避していた。
【先行技術文献】
【特許文献】
【０００５】
【特許文献１】特開２０１４−５２１３９号公報
【発明の概要】
【発明が解決しようとする課題】
【０００６】
しかしながら、サービス等で冷媒を封入したときには、液冷媒が最高液面位置を超えてしまう場合もあり、係る場合には、特許文献１の構造でも乾燥剤の全てが液冷媒に浸かってしまう問題があった。
【０００７】
また、特に車室内を冷房する運転モードではアキュムレータに貯留される液冷媒の量も少なくなるので、特許文献１の構造では乾燥剤の全てが液冷媒よりも上方に出てしまう可能性が高い。そのため、冷媒の気化促進も期待できなくなると共に、特許文献１の構造では液冷媒の落下経路を避けた位置に乾燥剤が配置されている関係上、水分除去機能も果たせなくなる問題もあった。
【０００８】
本発明は、係る従来の技術的課題を解決するために成されたものであり、冷媒の突沸による異音の発生を抑制し、圧縮機の耐久性を向上させながら、乾燥剤による液冷媒の気化促進と水分除去を支障無く行うことができるアキュムレータ、及び、それを備えた車両用空気調和装置を提供することを目的とする。
【課題を解決するための手段】
【０００９】
本発明のアキュムレータは、圧縮機に吸い込まれる冷媒を液冷媒とガス冷媒に分離するためのものであって、液冷媒を内部に貯留するタンクと、このタンク内にて開口するガス冷媒吸込口を有し、このガス冷媒吸込口から流入したガス冷媒を圧縮機の冷媒吸込側に流出させる出口配管と、タンク内において上下方向に配置され、冷媒中の水分を除去する乾燥剤とを備え、出口配管は、設計上の最高液面位置Ｌｍａｘよりも高い位置にて開口するガス冷媒吸込口を有し、乾燥剤の上部は、出口配管のガス冷媒吸込口より上方に位置しており、乾燥剤の下部は、タンク内の液冷媒の設計上の最低液面位置Ｌｍｉｎよりも下方に位置していることを特徴とする。
【００１０】
請求項２の発明のアキュムレータは、上記発明において乾燥剤は、出口配管に保持されていることを特徴とする。
【００１１】
請求項３の発明のアキュムレータは、上記各発明においてタンク内にて開口し、冷媒を当該タンク内に流入させる入口配管を備え、乾燥剤は、入口配管からタンク内に流入した液冷媒の落下経路を避けた位置に配置されていることを特徴とする。
【００１２】
請求項４の発明のアキュムレータは、上記発明においてタンク内において入口配管の開口の下側に配置され、少なくとも一部がタンクの側壁から離間して設けられた邪魔板を備え、入口配管からタンク内に流入した液冷媒は、邪魔板とタンクの側壁との間から落下すると共に、乾燥剤は、邪魔板とタンクの底壁との間に挟まれたかたちで配置されていることを特徴とする。
【００１３】
請求項５の発明の車両用空気調和装置は、冷媒を圧縮する圧縮機と、車室内に供給する空気が流通する空気流通路と、この空気流通路から車室内に供給する空気と冷媒を熱交換させる室内熱交換器と、車室外に設けられた室外熱交換器と、圧縮機の冷媒吸込側に接続された上記各発明のアキュムレータを備え、車室内を空調することを特徴とする。
【発明の効果】
【００１４】
本発明によれば、圧縮機に吸い込まれる冷媒を液冷媒とガス冷媒に分離するためのアキュムレータにおいて、液冷媒を内部に貯留するタンクと、このタンク内にて開口するガス冷媒吸込口を有し、このガス冷媒吸込口から流入したガス冷媒を圧縮機の冷媒吸込側に流出させる出口配管と、タンク内において上下方向に配置され、冷媒中の水分を除去する乾燥剤とを備え、出口配管は、設計上の最高液面位置Ｌｍａｘよりも高い位置にて開口するガス冷媒吸込口を有しており、乾燥剤の上部を、出口配管のガス冷媒吸込口より上方に配置したので、サービス等でタンク内の冷媒の液面が最高液面位置Ｌｍａｘより高くなった場合にも、少なくとも乾燥剤の上部は液冷媒とガス冷媒との境界面（液冷媒の液面）よりも上に位置するようになる。
【００１５】
これにより、境界面における液冷媒の気化を促進する機能を確保することができるようになる。また、乾燥剤の全てが液冷媒に浸かることも回避されるので、突沸も解消若しくは抑制することができるようになり、圧縮機での液圧縮やアキュムレータ内での異音の発生を効果的に解消若しくは抑制することが可能となる。それにより、請求項５の発明の如き車両用空気調和装置の信頼性を向上させ、搭乗者の快適性も効果的に改善することができるようになる。
【００１６】
また、乾燥剤の下部を、タンク内の液冷媒の設計上の最低液面位置Ｌｍｉｎよりも下方に配置したので、タンク内の冷媒量が減少した場合にも、乾燥剤による境界面における液冷媒の気化促進機能も確保されると共に、冷媒からの水分除去も支障無く行うことができるようになる。
【００１７】
この場合、出口配管は通常タンク内において上下方向に配置されることになるので、請求項２の発明の如く乾燥剤を出口配管に保持させることで、請求項１の発明の如き乾燥剤の配置を極めて簡単に実現することができるようになる。
【００１８】
また、請求項３の発明によれば、上記各発明に加えてタンク内にて開口し、冷媒を当該タンク内に流入させる入口配管を備え、乾燥剤が、入口配管からタンク内に流入した液冷媒の落下経路を避けた位置に配置されているので、落下する液冷媒の乾燥剤への衝突を防止することができるようになる。これにより、ガス冷媒吸込口からの液冷媒の吸い込みを防止して、圧縮機の液圧縮の発生をより一層効果的に防止することができるようになる。
【００１９】
また、請求項４の発明によれば、上記発明に加えてタンク内において入口配管の開口の下側に配置され、少なくとも一部がタンクの側壁から離間して設けられた邪魔板を備え、入口配管からタンク内に流入した液冷媒が、邪魔板とタンクの側壁との間から落下すると共に、乾燥剤が、邪魔板とタンクの底壁との間に挟まれたかたちで配置されているので、落下する液冷媒の乾燥剤への衝突を回避しながら、請求項１や請求項２の発明の如きタンク内における乾燥剤の配置や保持構造を、安定的に維持することができるようになるものである。
【図面の簡単な説明】
【００２０】
【図１】本発明を適用した一実施形態の車両用空気調和装置の構成図である（暖房モード、除湿暖房モード、除湿冷房モード及び冷房モード）。
【図２】図１の車両用空気調和装置のコントローラの電気回路のブロック図である。
【図３】図１の車両用空気調和装置のＭＡＸ冷房モード（最大冷房モード）のときの構成図である。
【図４】本発明を適用した一実施形態のアキュムレータの概略断面図である。
【図５】図４のアキュムレータのもう一つの概略断面図である。
【発明を実施するための形態】
【００２１】
以下、本発明の実施の形態について、図面に基づき詳細に説明する。
【００２２】
図１は本発明を適用した一実施例の車両用空気調和装置１の構成図を示している。本発明を適用する実施例の車両は、エンジン（内燃機関）が搭載されていない電気自動車（ＥＶ）であって、バッテリに充電された電力で走行用の電動モータを駆動して走行するものであり（何れも図示せず）、本発明の車両用空気調和装置１も、バッテリの電力で駆動されるものとする。即ち、実施例の車両用空気調和装置１は、エンジン廃熱による暖房ができない電気自動車において、冷媒回路を用いたヒートポンプ運転により暖房モードを行い、更に、除湿暖房モード、除湿冷房モード、冷房モード、及び、ＭＡＸ冷房モード（最大冷房モード）の各運転モードを選択的に実行するものである。
【００２３】
尚、車両として電気自動車に限らず、エンジンと走行用の電動モータを供用する所謂ハイブリッド自動車にも本発明は有効であり、更には、エンジンで走行する通常の自動車にも適用可能であることは云うまでもない。
【００２４】
実施例の車両用空気調和装置１は、電気自動車の車室内の空調（暖房、冷房、除湿、及び、換気）を行うものであり、冷媒を圧縮する電動式の圧縮機２と、車室内空気が通気循環されるＨＶＡＣユニット１０の空気流通路３内に設けられ、圧縮機２から吐出された高温高圧の冷媒が冷媒配管１３Ｇを介して流入し、この冷媒を車室内に放熱させる室内熱交換器としての放熱器４と、暖房時に冷媒を減圧膨張させる電動弁から成る室外膨張弁６と、車室外に設けられて冷房時には放熱器として機能し、暖房時には蒸発器として機能すべく冷媒と外気との間で熱交換を行わせる室外熱交換器７と、冷媒を減圧膨張させる電動弁から成る室内膨張弁８と、空気流通路３内に設けられて冷房時及び除湿時に車室内外から冷媒に吸熱させる室内熱交換器としての吸熱器９と、本発明のアキュムレータ１２等が冷媒配管１３により順次接続され、冷媒回路Ｒが構成されている。
【００２５】
そして、この冷媒回路Ｒには所定量の冷媒と潤滑用のオイルが充填されている。尚、室外熱交換器７には、室外送風機１５が設けられている。この室外送風機１５は、室外熱交換器７に外気を強制的に通風することにより、外気と冷媒とを熱交換させるものであり、これにより停車中（即ち、車速が０ｋｍ／ｈ）にも室外熱交換器７に外気が通風されるよう構成されている。
【００２６】
また、室外熱交換器７は冷媒下流側にレシーバドライヤ部１４と過冷却部１６を順次有し、室外熱交換器７から出た冷媒配管１３Ａは、除湿暖房モード、除湿冷房モード、冷房モード、及び、ＭＡＸ冷房モードで開放される冷房用の電磁弁１７を介してレシーバドライヤ部１４に接続され、過冷却部１６の出口側の冷媒配管１３Ｂは室内膨張弁８を介して吸熱器９の入口側に接続されている。尚、レシーバドライヤ部１４及び過冷却部１６は構造的に室外熱交換器７の一部を構成している。
【００２７】
また、過冷却部１６と室内膨張弁８間の冷媒配管１３Ｂは、吸熱器９の出口側の冷媒配管１３Ｃと熱交換関係に設けられ、両者で内部熱交換器１９を構成している。これにより、冷媒配管１３Ｂを経て室内膨張弁８に流入する冷媒は、吸熱器９を出た低温の冷媒により冷却（過冷却）される構成とされている。
【００２８】
また、室外熱交換器７から出た冷媒配管１３Ａは冷媒配管１３Ｄに分岐しており、この分岐した冷媒配管１３Ｄは、暖房モードで開放される暖房用の電磁弁２１を介して内部熱交換器１９の下流側における冷媒配管１３Ｃに連通接続されている。この冷媒配管１３Ｃがアキュムレータ１２の入口配管となって当該アキュムレータ１２に接続され、アキュムレータ１２は圧縮機２の冷媒吸込側に接続されている。更に、放熱器４の出口側の冷媒配管１３Ｅは室外膨張弁６を介して室外熱交換器７の入口側に接続されている。
【００２９】
また、圧縮機２の吐出側と放熱器４の入口側の間の冷媒配管１３Ｇには、暖房モード、除湿冷房モード、及び、冷房モードで開放され、除湿暖房モードとＭＡＸ冷房モードで閉じられるリヒート用の電磁弁３０が介設されている。この場合、冷媒配管１３Ｇは電磁弁３０の上流側でバイパス配管３５に分岐しており、このバイパス配管３５は、除湿暖房モード及びＭＡＸ冷房モードで開放され、暖房モード、除湿冷房モード、及び、冷房モードで閉じられるバイパス用の電磁弁４０を介して室外膨張弁６の下流側の冷媒配管１３Ｅに連通接続されている。これらバイパス配管３５、電磁弁３０及び電磁弁４０によりバイパス装置４５が構成される。
【００３０】
このようなバイパス配管３５、電磁弁３０及び電磁弁４０によりバイパス装置４５を構成したことで、後述する如く圧縮機２から吐出された冷媒を室外熱交換器７に直接流入させる除湿暖房モードやＭＡＸ冷房モードと、圧縮機２から吐出された冷媒を放熱器４に流入させる暖房モード、除湿冷房モード、冷房モードとの切り換えを円滑に行うことができるようになる。
【００３１】
また、吸熱器９の空気上流側における空気流通路３には、外気吸込口と内気吸込口の各吸込口が形成されており（図１では吸込口２５で代表して示す）、この吸込口２５には空気流通路３内に導入する空気を車室内の空気である内気（内気循環モード）と、車室外の空気である外気（外気導入モード）とに切り換える吸込切換ダンパ２６が設けられている。更に、この吸込切換ダンパ２６の空気下流側には、導入した内気や外気を空気流通路３に送給するための室内送風機（ブロワファン）２７が設けられている。
【００３２】
また、図１において２３は実施例の車両用空気調和装置１に設けられた補助加熱装置としての補助ヒータである。実施例の補助ヒータ２３は電気ヒータであるＰＴＣヒータにて構成されており、空気流通路３の空気の流れに対して、放熱器４の空気上流側となる空気流通路３内に設けられている。そして、補助ヒータ２３に通電されて発熱すると、吸熱器９を経て放熱器４に流入する空気流通路３内の空気が加熱される。即ち、この補助ヒータ２３が所謂ヒータコアとなり、車室内の暖房を行い、或いは、それを補完する。
【００３３】
また、補助ヒータ２３の空気上流側における空気流通路３内には、当該空気流通路３内に流入し、吸熱器９を通過した後の空気流通路３内の空気（内気や外気）を補助ヒータ２３及び放熱器４に通風する割合を調整するエアミックスダンパ２８が設けられている。更に、放熱器４の空気下流側における空気流通路３には、ＦＯＯＴ（フット）、ＶＥＮＴ（ベント）、ＤＥＦ（デフ）の各吹出口（図１では代表して吹出口２９で示す）が形成されており、この吹出口２９には上記各吹出口から空気の吹き出しを切換制御する吹出口切換ダンパ３１が設けられている。
【００３４】
次に、図２において３２はプロセッサを備えたコンピュータの一例であるマイクロコンピュータから構成された制御装置としてのコントローラ（ＥＣＵ）であり、このコントローラ３２の入力には車両の外気温度（Ｔａｍ）を検出する外気温度センサ３３と、外気湿度を検出する外気湿度センサ３４と、吸込口２５から空気流通路３に吸い込まれる空気の温度を検出するＨＶＡＣ吸込温度センサ３６と、車室内の空気（内気）の温度を検出する内気温度センサ３７と、車室内の空気の湿度を検出する内気湿度センサ３８と、車室内の二酸化炭素濃度を検出する室内ＣＯ2濃度センサ３９と、吹出口２９から車室内に吹き出される空気の温度を検出する吹出温度センサ４１と、圧縮機２の吐出冷媒圧力（吐出圧力Ｐｄ）を検出する吐出圧力センサ４２と、圧縮機２の吐出冷媒温度を検出する吐出温度センサ４３と、圧縮機２の吸込冷媒圧力を検出する吸込圧力センサ４４と、アキュムレータ１２から出て圧縮機２に吸い込まれる冷媒の温度である吸込冷媒温度（Ｔｓ）を検出する吸込温度センサ５５と、放熱器４の温度（放熱器４を経た空気の温度、又は、放熱器４自体の温度：放熱器温度ＴＨ）を検出する放熱器温度センサ４６と、放熱器４の冷媒圧力（放熱器４内、又は、放熱器４を出た直後の冷媒の圧力：放熱器圧力ＰＣＩ）を検出する放熱器圧力センサ４７と、吸熱器９の温度（吸熱器９を経た空気の温度、又は、吸熱器９自体の温度：吸熱器温度Ｔｅ）を検出する吸熱器温度センサ４８と、吸熱器９の冷媒圧力（吸熱器９内、又は、吸熱器９を出た直後の冷媒の圧力）を検出する吸熱器圧力センサ４９と、車室内への日射量を検出するための例えばフォトセンサ式の日射センサ５１と、車両の移動速度（車速）を検出するための車速センサ５２と、設定温度や運転モードの切り換えを設定するための空調（エアコン）操作部５３と、室外熱交換器７の温度（室外熱交換器７から出た直後の冷媒の温度（後述する暖房モードのときにアキュムレータ１２に流入する冷媒の温度：室外熱交換器温度ＴＸＯ）を検出する室外熱交換器温度センサ５４と、室外熱交換器７の冷媒圧力（室外熱交換器７内、又は、室外熱交換器７から出た直後の冷媒の圧力：室外熱交換器圧力ＰＸＯ）を検出する室外熱交換器圧力センサ５６の各出力が接続されている。また、コントローラ３２の入力には更に、補助ヒータ２３の温度（補助ヒータ２３で加熱された直後の空気の温度、又は、補助ヒータ２３自体の温度：補助ヒータ温度Ｔｐｔｃ）を検出する補助ヒータ温度センサ５０の出力も接続されている。
【００３５】
一方、コントローラ３２の出力には、前記圧縮機２と、室外送風機１５と、室内送風機（ブロワファン）２７と、吸込切換ダンパ２６と、エアミックスダンパ２８と、吹出口切換ダンパ３１と、室外膨張弁６、室内膨張弁８と、補助ヒータ２３、電磁弁３０（リヒート用）、電磁弁１７（冷房用）、電磁弁２１（暖房用）、電磁弁４０（バイパス用）の各電磁弁が接続されている。そして、コントローラ３２は各センサの出力と空調操作部５３にて入力された設定に基づいてこれらを制御する。
【００３６】
以上の構成で、次に実施例の車両用空気調和装置１の動作を説明する。コントローラ３２は実施例では暖房モード、除湿暖房モード、除湿冷房モード、冷房モード、及び、ＭＡＸ冷房モードの各運転モードを切り換えて実行する。先ず、各運転モードにおける冷媒の流れと制御の概略について説明する。
【００３７】
（１）暖房モード
コントローラ３２により（オートモード）或いは空調操作部５３へのマニュアル操作（マニュアルモード）により暖房モードが選択されると、コントローラ３２は電磁弁２１（暖房用）を開放し、電磁弁１７（冷房用）を閉じる。また、電磁弁３０（リヒート用）を開放し、電磁弁４０（バイパス用）を閉じる。
【００３８】
そして、圧縮機２、及び、各送風機１５、２７を運転し、エアミックスダンパ２８は図１に破線で示す如く、室内送風機２７から吹き出されて吸熱器９を経た空気流通路３内の全ての空気が補助ヒータ２３及び放熱器４に通風される状態とする。これにより、圧縮機２から吐出された高温高圧のガス冷媒は電磁弁３０を経て冷媒配管１３Ｇから放熱器４に流入する。放熱器４には空気流通路３内の空気が通風されるので、空気流通路３内の空気は放熱器４内の高温冷媒（補助ヒータ２３が動作するときは当該補助ヒータ２３及び放熱器４）により加熱され、一方、放熱器４内の冷媒は空気に熱を奪われて冷却され、凝縮液化する。
【００３９】
放熱器４内で液化した冷媒は当該放熱器４を出た後、冷媒配管１３Ｅを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる。即ち、冷媒回路Ｒがヒートポンプとなる。そして、室外熱交換器７を出た低温の冷媒は冷媒配管１３Ａ、電磁弁２１及び冷媒配管１３Ｄを経て冷媒配管１３Ｃからアキュムレータ１２に入り、そこで気液分離された後、ガス冷媒が圧縮機２に吸い込まれる循環を繰り返す。
【００４０】
放熱器４（補助ヒータ２３が動作するときは当該補助ヒータ２３及び放熱器４）にて加熱された空気は吹出口２９から吹き出されるので、これにより車室内の暖房が行われることになる。この場合、コントローラ３２は、後述する目標吹出温度ＴＡＯから算出される目標放熱器温度ＴＣＯ（放熱器温度ＴＨの目標値）から目標放熱器圧力ＰＣＯ（放熱器圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数を制御する。また、コントローラ３２は、放熱器温度センサ４６が検出する放熱器４の温度（放熱器温度ＴＨ）及び放熱器圧力センサ４７が検出する放熱器圧力ＰＣＩに基づいて室外膨張弁６の弁開度を制御し、放熱器４の出口における冷媒の過冷却度ＳＣ（放熱器温度ＴＨと放熱器圧力ＰＣＩから算出される）をその目標値である所定の目標過冷却度ＴＧＳＣに制御する。前記目標放熱器温度ＴＣＯは基本的にはＴＣＯ＝ＴＡＯとされるが、制御上の所定の制限が設けられる。
【００４１】
また、コントローラ３２はこの暖房モードにおいては、車室内空調に要求される暖房能力に対して放熱器４による暖房能力が不足する場合、その不足する分を補助ヒータ２３の発熱で補完するように補助ヒータ２３の通電を制御する。それにより、快適な車室内暖房を実現し、且つ、室外熱交換器７の着霜も抑制する。このとき、補助ヒータ２３は放熱器４の空気上流側に配置されているので、空気流通路３を流通する空気は放熱器４の前に補助ヒータ２３に通風されることになる。
【００４２】
ここで、補助ヒータ２３が放熱器４の空気下流側に配置されていると、実施例の如くＰＴＣヒータで補助ヒータ２３を構成した場合には、補助ヒータ２３に流入する空気の温度が放熱器４によって上昇するため、ＰＴＣヒータの抵抗値が大きくなり、電流値も低くなって発熱量が低下してしまうが、放熱器４の空気上流側に補助ヒータ２３を配置することで、実施例の如くＰＴＣヒータから構成される補助ヒータ２３の能力を十分に発揮させることができるようになる。
【００４３】
（２）除湿暖房モード
次に、除湿暖房モードでは、コントローラ３２は電磁弁１７を開放し、電磁弁２１を閉じる。また、電磁弁３０を閉じ、電磁弁４０を開放すると共に、室外膨張弁６の弁開度は全閉とする。そして、圧縮機２、及び、各送風機１５、２７を運転し、エアミックスダンパ２８は図１に破線で示す如く、室内送風機２７から吹き出されて吸熱器９を経た空気流通路３内の全ての空気が補助ヒータ２３及び放熱器４に通風される状態とする。
【００４４】
これにより、圧縮機２から冷媒配管１３Ｇに吐出された高温高圧のガス冷媒は、放熱器４に向かうこと無くバイパス配管３５に流入し、電磁弁４０を経て室外膨張弁６の下流側の冷媒配管１３Ｅに至るようになる。このとき、室外膨張弁６は全閉とされているので、冷媒は室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００４５】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却され、且つ、当該空気中の水分が吸熱器９に凝結して付着するので、空気流通路３内の空気は冷却され、且つ、除湿される。吸熱器９で蒸発した冷媒は内部熱交換器１９を経て冷媒配管１３Ｃを介し、アキュムレータ１２に至り、前述した如く気液分離されて圧縮機２に吸い込まれる循環を繰り返す。
【００４６】
このとき、室外膨張弁６の弁開度は全閉とされているので、圧縮機２から吐出された冷媒が室外膨張弁６から放熱器４に逆流入する不都合を抑制若しくは防止することが可能となる。これにより、冷媒循環量の低下を抑制若しくは解消して空調能力を確保することができるようになる。更に、この除湿暖房モードにおいてコントローラ３２は、補助ヒータ２３に通電して発熱させる。これにより、吸熱器９にて冷却され、且つ、除湿された空気は補助ヒータ２３を通過する過程で更に加熱され、温度が上昇するので車室内の除湿暖房が行われることになる。
【００４７】
コントローラ３２は吸熱器温度センサ４８が検出する吸熱器９の温度（吸熱器温度Ｔｅ）とその目標値である目標吸熱器温度ＴＥＯに基づいて圧縮機２の回転数を制御すると共に、補助ヒータ温度センサ５０が検出する補助ヒータ温度Ｔｐｔｃと前述した目標放熱器温度ＴＣＯに基づいて補助ヒータ２３の通電（発熱）を制御することで、吸熱器９での空気の冷却と除湿を適切に行いながら、補助ヒータ２３による加熱で吹出口２９から車室内に吹き出される空気温度の低下を的確に防止する。
【００４８】
これにより、車室内に吹き出される空気を除湿しながら、その温度を適切な暖房温度に制御することが可能となり、車室内の快適且つ効率的な除湿暖房を実現することができるようになる。また、前述した如く除湿暖房モードではエアミックスダンパ２８は空気流通路３内の全ての空気を補助ヒータ２３及び放熱器４に通風する状態とされるので、吸熱器９を経た空気を効率良く補助ヒータ２３で加熱して省エネ性を向上させ、且つ、除湿暖房空調の制御性も向上させることができるようになる。
【００４９】
尚、補助ヒータ２３は放熱器４の空気上流側に配置されているので、補助ヒータ２３で加熱された空気は放熱器４を通過することになるが、この除湿暖房モードでは放熱器４に冷媒は流されないので、補助ヒータ２３にて加熱された空気から放熱器４が吸熱してしまう不都合も解消される。即ち、放熱器４によって車室内に吹き出される空気の温度が低下してしまうことが抑制され、ＣＯＰも向上することになる。
【００５０】
（３）除湿冷房モード
次に、除湿冷房モードでは、コントローラ３２は電磁弁１７を開放し、電磁弁２１を閉じる。また、電磁弁３０を開放し、電磁弁４０を閉じる。そして、圧縮機２、及び、各送風機１５、２７を運転し、エアミックスダンパ２８は図１に破線で示す如く、室内送風機２７から吹き出されて吸熱器９を経た空気流通路３内の全ての空気が補助ヒータ２３及び放熱器４に通風される状態とする。これにより、圧縮機２から吐出された高温高圧のガス冷媒は電磁弁３０を経て冷媒配管１３Ｇから放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。
【００５１】
放熱器４を出た冷媒は冷媒配管１３Ｅを経て室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００５２】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００５３】
吸熱器９で蒸発した冷媒は内部熱交換器１９を経て冷媒配管１３Ｃを介し、アキュムレータ１２に至り、前述した如く気液分離されて圧縮機２に吸い込まれる循環を繰り返す。この除湿冷房モードではコントローラ３２は補助ヒータ２３に通電しないので、吸熱器９にて冷却され、除湿された空気は放熱器４を通過する過程で再加熱（リヒート。暖房時よりも放熱能力は低い）される。これにより車室内の除湿冷房が行われることになる。
【００５４】
コントローラ３２は吸熱器温度センサ４８が検出する吸熱器９の温度（吸熱器温度Ｔｅ）に基づいて圧縮機２の回転数を制御すると共に、前述した冷媒回路Ｒの高圧圧力に基づいて室外膨張弁６の弁開度を制御し、放熱器４の冷媒圧力（放熱器圧力ＰＣＩ）を制御する。
【００５５】
（４）冷房モード
次に、冷房モードでは、コントローラ３２は上記除湿冷房モードの状態において室外膨張弁６の弁開度を全開とする。尚、コントローラ３２はエアミックスダンパ２８を制御し、図１に実線で示す如く、室内送風機２７から吹き出されて吸熱器９を通過した後の空気流通路３内の空気が、補助ヒータ２３及び放熱器４に通風される割合を調整する。また、コントローラ３２は補助ヒータ２３に通電しない。
【００５６】
これにより、圧縮機２から吐出された高温高圧のガス冷媒は電磁弁３０を経て冷媒配管１３Ｇから放熱器４に流入すると共に、放熱器４を出た冷媒は冷媒配管１３Ｅを経て室外膨張弁６に至る。このとき室外膨張弁６は全開とされているので冷媒はそれを通過し、そのまま室外熱交換器７に流入し、そこで走行により、或いは、室外送風機１５にて通風される外気により空冷され、凝縮液化する。室外熱交換器７を出た冷媒は冷媒配管１３Ａから電磁弁１７を経てレシーバドライヤ部１４、過冷却部１６と順次流入する。ここで冷媒は過冷却される。
【００５７】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却される。また、空気中の水分は吸熱器９に凝結して付着する。
【００５８】
吸熱器９で蒸発した冷媒は内部熱交換器１９を経て冷媒配管１３Ｃを介し、アキュムレータ１２に至り、前述した如く気液分離された後、圧縮機２に吸い込まれる循環を繰り返す。吸熱器９にて冷却され、除湿された空気が吹出口２９から車室内に吹き出されるので（一部は放熱器４を通過して熱交換する）、これにより車室内の冷房が行われることになる。また、この冷房モードにおいては、コントローラ３２は吸熱器温度センサ４８が検出する吸熱器９の温度（吸熱器温度Ｔｅ）とその目標値である目標吸熱器温度ＴＥＯに基づいて圧縮機２の回転数を制御する。
【００５９】
（５）ＭＡＸ冷房モード（最大冷房モード）
次に、最大冷房モードとしてのＭＡＸ冷房モードでは、コントローラ３２は電磁弁１７を開放し、電磁弁２１を閉じる。また、電磁弁３０を閉じ、電磁弁４０を開放すると共に、室外膨張弁６の弁開度は全閉とする。そして、圧縮機２、及び、各送風機１５、２７を運転し、エアミックスダンパ２８は図３に示す如く補助ヒータ２３及び放熱器４に空気流通路３内の空気が通風されない状態とする。但し、多少通風されても支障はない。また、コントローラ３２は補助ヒータ２３に通電しない。
【００６０】
これにより、圧縮機２から冷媒配管１３Ｇに吐出された高温高圧のガス冷媒は、放熱器４に向かうこと無くバイパス配管３５に流入し、電磁弁４０を経て室外膨張弁６の下流側の冷媒配管１３Ｅに至るようになる。このとき、室外膨張弁６は全閉とされているので、冷媒は室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００６１】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却される。また、空気中の水分は吸熱器９に凝結して付着するので、空気流通路３内の空気は除湿される。吸熱器９で蒸発した冷媒は内部熱交換器１９を経て冷媒配管１３Ｃを介し、アキュムレータ１２に至り、そこを経て圧縮機２に吸い込まれる循環を繰り返す。このとき、室外膨張弁６は全閉とされているので、同様に圧縮機２から吐出された冷媒が室外膨張弁６から放熱器４に逆流入する不都合を抑制若しくは防止することが可能となる。これにより、冷媒循環量の低下を抑制若しくは解消して空調能力を確保することができるようになる。
【００６２】
ここで、前述した冷房モードでは放熱器４に高温の冷媒が流れているため、放熱器４からＨＶＡＣユニット１０への直接の熱伝導が少なからず生じるが、このＭＡＸ冷房モードでは放熱器４に冷媒が流れないため、放熱器４からＨＶＡＣユニット１０に伝達される熱で吸熱器９からの空気流通路３内の空気が加熱されることも無くなる。そのため、車室内の強力な冷房が行われ、特に外気温度Ｔａｍが高いような環境下では、迅速に車室内を冷房して快適な車室内空調を実現することができるようになる。また、このＭＡＸ冷房モードにおいても、コントローラ３２は吸熱器温度センサ４８が検出する吸熱器９の温度（吸熱器温度Ｔｅ）とその目標値である目標吸熱器温度ＴＥＯに基づいて圧縮機２の回転数を制御する。
【００６３】
（６）各運転モードの切換
空気流通路３内を流通される空気は上記各運転モードにおいて吸熱器９からの冷却や放熱器４（及び補助ヒータ２３）からの加熱作用（エアミックスダンパ２８で調整）を受けて吹出口２９から車室内に吹き出される。コントローラ３２は外気温度センサ３３が検出する外気温度Ｔａｍ、内気温度センサ３７が検出する車室内の温度、前記ブロワ電圧、日射センサ５１が検出する日射量等と、空調操作部５３にて設定された車室内の目標車室内温度（設定温度）とに基づいて目標吹出温度ＴＡＯを算出し、各運転モードを切り換えて吹出口２９から吹き出される空気の温度をこの目標吹出温度ＴＡＯに制御する。
【００６４】
この場合、コントローラ３２は、外気温度Ｔａｍ、車室内の湿度、目標吹出温度ＴＡＯ、放熱器温度ＴＨ、目標放熱器温度ＴＣＯ、吸熱器温度Ｔｅ、目標吸熱器温度ＴＥＯ、車室内の除湿要求の有無、等のパラメータに基づいて各運転モードの切り換えを行うことで、環境条件や除湿の要否に応じて的確に暖房モード、除湿暖房モード、除湿冷房モード、冷房モード及びＭＡＸ冷房モードを切り換え、快適且つ効率的な車室内空調を実現する。
【００６５】
（７）アキュムレータ１２の構造
次に、図４及び図５を参照しながら、前述した本発明のアキュムレータ１２の構造について説明する。各図はアキュムレータ１２の概略断面図を示している。アキュムレータ１２は冷媒配管１３Ｃ（本発明の入口配管）を経て流入する気液混合冷媒を、液冷媒（液相冷媒）とガス冷媒（気相冷媒）とを分離するための所謂気液分離器である。このアキュムレータ１２は、上下方向に所定寸法を有し、内部に所定容量を有するタンク５７と、このタンク５７内の上部に配置され、タンク５７の上壁及び側壁から離間して設けられた邪魔板５８と、タンク５７の上壁から内部に進入し、邪魔板５８を貫通して一旦タンク５７内の底部まで降下した後に上昇し、上昇した先端が邪魔板５８の下側で間隔を存して開口する出口配管６１と、タンク５７内に設けられた乾燥剤６３とから構成されており、この出口配管６１の先端をガス冷媒吸込口６４としている。
【００６６】
この出口配管６１の先端のガス冷媒吸込口６４は、冷媒回路Ｒの設計上の最高液面位置Ｌｍａｘよりも高い位置にて上向きに開口している。前述した暖房モードでは、アキュムレータ１２に流入する冷媒量も多くなる。最高液面位置Ｌｍａｘは、この暖房モードのときに最高となる液冷媒の液面であり、出口配管６１のガス冷媒吸込口６４はこの最高液面位置Ｌｍａｘよりも高い位置にて開口する。また、車両用空気調和装置１のサービス時等に、冷媒回路Ｒ内に冷媒が多く充填されると、図４に示す如くアキュムレータ１２内の液冷媒の液面が最高液面位置Ｌｍａｘを超える場合がある。そこで、出口配管６１のガス冷媒吸込口６４は、このサービス時における液面の位置か、それ以上の位置に開口するように設定することで、設計上、ガス冷媒吸込口６４にはアキュムレータ１２内のガス冷媒のみが流入できるように構成されている。
【００６７】
一方、出口配管６１の最下部はタンク５７の底壁５７Ａの直上に少許間隔を存して位置しており、この最下部には小孔から成るオイル戻し孔６２が形成されている。このオイル戻し孔６２は、冷媒回路Ｒの設計上の最低液面位置Ｌｍｉｎか、それより低い位置にて開口している。前述した冷房モードでは、アキュムレータ１２に流入する冷媒に過熱度が付くため、図５に示す如くアキュムレータ１２内に貯留される液冷媒の量も減少する。この液冷媒にはオイル（圧縮機２の潤滑用）も溶け込んでおり、オイル戻し孔６２が液冷媒の液面よりも高くなってしまうと、圧縮機２にオイルを戻せなくなるため、最低液面位置Ｌｍｉｎはこの冷房モードのときに最低となる液冷媒の液面とされ、出口配管６１のオイル戻し孔６２がこの最低液面位置Ｌｍｉｎ以下の位置にて開口することで、アキュムレータ１２内の液冷媒と共に貯留されるオイルを確実に圧縮機２に戻せるように構成されている。
【００６８】
この出口配管６１の上端はタンク５７の上壁から出て圧縮機２の吸込側に接続されている。そして、入口配管としての冷媒配管１３Ｃがタンク５７の上壁から内部に進入して開口している。邪魔板５８はタンク５７内において冷媒配管１３Ｃの開口の下側に配置され、少なくとも一部がタンク５７の側壁から離間している。尚、この邪魔板５８は一部がタンク５７の側壁に固定されるか、出口配管６１に固定されることで保持されている。
【００６９】
また、乾燥剤６３はゼオライト等の多数の乾燥剤粒子６６を例えば布製の袋６７内に収容したものである。この乾燥剤６３は、邪魔板５８を貫通した後、タンク５７内の底部まで降下する出口配管６１の上下方向に延在する部分に沿って配置され、当該出口配管６１に結束バンド６８にて保持されている。更に、乾燥剤６３の上端は邪魔板５８の下面に当接しており、乾燥剤６３の下端はタンク５７の底壁５７Ａの上面に当接している。即ち、乾燥剤６３はタンク５７内において、邪魔板５８とタンク５７の底壁５７Ａとの間に挟まれたかたちで上下方向に配置されている。
【００７０】
このような配置により、乾燥剤６３の上部は出口配管６１のガス冷媒吸込口６４よりも上方に位置し、乾燥剤６３の下部はタンク５７内の前述した最低液面位置Ｌｍｉｎよりも下方に位置することになる。
【００７１】
室外熱交換器７で蒸発したガス冷媒及び未蒸発の液冷媒は、前述した如く冷媒配管１３Ａ、電磁弁２１及び冷媒配管１３Ｄを経て冷媒配管１３Ｃ（入口配管）から図４、図５に矢印で示す如くアキュムレータ１２のタンク５７内に流入する。タンク５７内に流入した気液混合状態の冷媒中の液冷媒は、先ず邪魔板５８に衝突して外側に広がり、矢印で示す如く邪魔板５８の外縁とタンク５７の側壁との間を通ってタンク５７内の下部に落下する。
【００７２】
このとき、乾燥剤６３の上端は邪魔板５８の下面に当接しているので、乾燥剤６３の位置は、邪魔板５８の外縁から落下する液冷媒の落下経路を避けた位置となる。この邪魔板６３から落下した液冷媒はタンク５７内の下部に貯留され、流入したガス冷媒、及び、アキュムレータ１２内で液冷媒が蒸発したガス冷媒は、矢印で示す如く出口配管６１の先端と邪魔板５８の間を経て出口配管６１のガス冷媒吸込口６４に流入する。
【００７３】
このガス冷媒吸込口６４から出口配管６１内に流入したガス冷媒は、出口配管６１内を一旦流下した後、再び上昇してアキュムレータ１２から出て行く。また、タンク５７内には前述した如く冷媒と共に冷媒回路Ｒ内を循環するオイルも貯留される。このオイル及び液冷媒の一部は、出口配管６１の最下部に形成されたオイル戻し孔６２から出口配管６１内に入って上昇し、アキュムレータ１２から出て行く。
【００７４】
そして、アキュムレータ１２から出た冷媒及びオイルのうちの液冷媒は、圧縮機２に至る過程で外部から吸熱し、蒸発するので、圧縮機２にはガス冷媒とオイルのみが吸い込まれるかたちとなる。
【００７５】
そして、乾燥剤６３を構成する乾燥剤粒子６６は、アキュムレータ１２内に流入した冷媒中の水分を吸収して除去するものであるが、この乾燥剤粒子６６間で液冷媒の気化を促進する機能も奏する。この液冷媒の気化は、液冷媒とガス冷媒との境界面（液面）を起点として徐々に進行するものであるが、乾燥剤６３の上部は前述した如く出口配管６１のガス冷媒吸込口６４よりも上方に位置しており、下部は最低液面位置Ｌｍｉｎよりも下方に位置しているので、図４に示す如くサービス時等に液冷媒の液面が最高液面位置Ｌｍａｘよりも高くなり、ガス冷媒吸込口６４の位置に近づいても、乾燥剤６３の上部は必ず液面よりも上方に位置すると共に、図５の如く液冷媒の液面が最低液面位置Ｌｍｉｎまで低下しても、乾燥剤６３の下部は必ず液面よりも下方に位置することになる。これにより、境界面における液冷媒の気化促進機能と、液冷媒中の水分除去機能が支障無く担保される。
【００７６】
以上詳述した如く、本発明によればアキュムレータ１２のタンク５７内に設けた乾燥剤６３の上部を、出口配管６１のガス冷媒吸込口６４より上方に配置したので、サービス等でタンク５７内の冷媒の液面が最高液面位置Ｌｍａｘより高くなった場合にも、少なくとも乾燥剤６３の上部は液冷媒とガス冷媒との境界面（液冷媒の液面）よりも上に位置するようになる。
【００７７】
これにより、乾燥剤６３による境界面における液冷媒の気化促進機能を確保することができるようになる。また、乾燥剤６３の全てが液冷媒に浸かることも回避されるので、突沸も解消若しくは抑制することができるようになり、圧縮機２での液圧縮やアキュムレータ１２内での異音の発生を効果的に解消若しくは抑制することが可能となる。それにより、車両用空気調和装置１の信頼性を向上させ、搭乗者の快適性も効果的に改善することができるようになる。
【００７８】
また、乾燥剤６３の下部を、タンク５７内の液冷媒の最低液面位置Ｌｍｉｎよりも下方に配置したので、冷房モードの場合等にタンク５７内の冷媒量が減少した場合にも、乾燥剤６３による境界面における液冷媒の気化促進機能も確保されると共に、冷媒からの水分除去も支障無く行うことができるようになる。
【００７９】
また、乾燥剤６３を、タンク５７内において上下方向に配置された出口配管６１に保持させているので、上記の如き乾燥剤６３の配置を極めて簡単に実現することができるようになる。更に、乾燥剤６３を、冷媒配管１３Ｃ（入口配管）からタンク５７内に流入した液冷媒の落下経路を避けた位置に配置しているので、落下する液冷媒が乾燥剤６３に衝突することを防止することができるようになる。これにより、出口配管６１のガス冷媒吸込口６４から液冷媒が吸い込まれることを防止して、圧縮機２の液圧縮の発生をより一層効果的に防止することができるようになる。
【００８０】
また、実施例ではタンク５７内において冷媒配管１３Ｃ（入口配管）の開口の下側に配置されて少なくとも一部がタンク５７の側壁から離間して設けられた邪魔板５８が設けられ、冷媒配管１３Ｃ（入口配管）からタンク５７内に流入した液冷媒が、邪魔板５８とタンク５７の側壁との間から落下するようにしている。そして、乾燥剤６３を、邪魔板５８とタンク５７の底壁５７Ａとの間に挟まれたかたちで配置しているので、落下する液冷媒の乾燥剤６３への衝突を回避しながら、前述した如きタンク５７内における乾燥剤６３の配置や保持構造を、安定的に維持することができるようになる。
【００８１】
尚、実施例では車室内を空調する車両用空気調和装置１の冷媒回路Ｒに本発明のアキュムレータ１２を用いたが、請求項５以外の発明ではそれに限らず、圧縮機の吸込側にアキュムレータを設ける冷媒回路を備えた種々の冷凍装置に本発明は有効である。
【符号の説明】
【００８２】
１  車両用空気調和装置
２  圧縮機
３  空気流通路
４  放熱器（室内熱交換器）
６  室外膨張弁
７  室外熱交換器
８  室内膨張弁
９  吸熱器（室内熱交換器）
１２  アキュムレータ
１３Ｃ  冷媒配管（入口配管）
５７  タンク
５８  邪魔板
６１  出口配管
６２  オイル戻し孔
６３  乾燥剤
６４  ガス冷媒吸込口
６６  乾燥剤粒子
６８  結束バンド
Ｒ  冷媒回路
【図１】
0006747857.tif 000002
【図２】
0006747857.tif 000003
【図３】
0006747857.tif 000004
【図４】
0006747857.tif 000005
【図５】
0006747857.tif 000006